(57)【特許請求の範囲】
【請求項１】
押圧されることによりオンオフが切替えられるスイッチと、
第１光源と、前記第１光源と異なる位置に配置される第２光源と、を有する光源と、
前記光源から発光された光を、前記スイッチの押圧方向とは反対方向に向けて光を導く導光体と、を備え、
前記導光体は、
前記スイッチの前記反対方向側に設けられ、前記光源により発光された光を前記反対方向に向けて出射する出射部と、
前記出射部に接続され、前記第１光源により発光された第１光を前記出射部に導く第１導光脚部と、
前記出射部に接続され、前記第２光源により発光された第２光を前記出射部に導く第２導光脚部と、を有し、
前記出射部は、（ｉ）前記第１光および前記第２光が通過する領域に配置され、前記第１光を前記反対方向側に向けて反射し、前記第１光よりも前記第２光を反射しにくく構成される第１意匠と、（ｉｉ）前記領域に配置され、前記第２光を前記反対方向側に向けて反射し、前記第２光よりも前記第１光を反射しにくく構成される第２意匠と、を有し、
前記第１光が前記第１意匠に入射する第１方向と、前記第２光が前記第２意匠に入射する第２方向とは、互いに交差しており、
前記出射部は、前記第１導光脚部により導かれた前記第１光を前記第１意匠に向けて反射する第１反射部と、前記第２導光脚部により導かれた前記第２光を前記第２意匠に向けて反射する第２反射部とを有する
入力装置。
【請求項２】
前記第１反射部と前記第２反射部とは、同一面内に形成されている
請求項１に記載の入力装置。
【請求項３】
押圧されることによりオンオフが切替えられるスイッチと、
第１光源と、前記第１光源と異なる位置に配置される第２光源と、を有する光源と、
前記光源から発光された光を、前記スイッチの押圧方向とは反対方向に向けて光を導く導光体と、を備え、
前記導光体は、
前記スイッチの前記反対方向側に設けられ、前記光源により発光された光を前記反対方向に向けて出射する出射部と、
前記出射部に接続され、前記第１光源により発光された第１光を前記出射部に導く第１導光脚部と、
前記出射部に接続され、前記第２光源により発光された第２光を前記出射部に導く第２導光脚部と、を有し、
前記出射部は、（ｉ）前記第１光および前記第２光が通過する領域に配置され、前記第１光を前記反対方向側に向けて反射し、前記第１光よりも前記第２光を反射しにくく構成される第１意匠と、（ｉｉ）前記領域に配置され、前記第２光を前記反対方向側に向けて反射し、前記第２光よりも前記第１光を反射しにくく構成される第２意匠と、を有し、
前記出射部は、平板状の部位であり、
前記第１導光脚部及び前記第２導光脚部は、前記出射部に対して所定の角度で曲がっている部分により接続されている
入力装置。
【請求項４】
押圧されることによりオンオフが切替えられるスイッチと、
第１光源と、前記第１光源と異なる位置に配置される第２光源と、を有する光源と、
前記光源から発光された光を、前記スイッチの押圧方向とは反対方向に向けて光を導く導光体と、を備え、
前記導光体は、
前記スイッチの前記反対方向側に設けられ、前記光源により発光された光を前記反対方向に向けて出射する出射部と、
前記出射部に接続され、前記第１光源により発光された第１光を前記出射部に導く第１導光脚部と、
前記出射部に接続され、前記第２光源により発光された第２光を前記出射部に導く第２導光脚部と、を有し、
前記出射部は、（ｉ）前記第１光および前記第２光が通過する領域に配置され、前記第１光を前記反対方向側に向けて反射し、前記第１光よりも前記第２光を反射しにくく構成される第１意匠と、（ｉｉ）前記領域に配置され、前記第２光を前記反対方向側に向けて反射し、前記第２光よりも前記第１光を反射しにくく構成される第２意匠と、を有し、
前記第１導光脚部は、前記第１光が進行する第３方向に交差する第１段差面を有し、
前記第２導光脚部は、前記第２光が進行する第４方向に交差する第２段差面を有し、
前記第１段差面は、前記第３方向側が外部に開放されている、または、黒色に着色されており、
前記第２段差面は、前記第４方向側が外部に開放されている、または、黒色に着色されている
入力装置。
【請求項５】
前記第１導光脚部は、前記第３方向の異なる位置に配置された複数の前記第１段差面を有し、
前記第２導光脚部は、前記第４方向の異なる位置に配置された複数の前記第２段差面を有する
請求項４に記載の入力装置。
【請求項６】
前記第１段差面の面積は、前記第１導光脚部の、前記第１段差面が形成されている部分における断面積よりも小さく、
前記第２段差面の面積は、前記第２導光脚部の、前記第２段差面が形成されている部分における断面積よりも小さい
請求項４から５のいずれか１項に記載の入力装置。
【請求項７】
押圧されることによりオンオフが切替えられるスイッチと、
第１光源と、前記第１光源と異なる位置に配置される第２光源と、を有する光源と、
前記光源から発光された光を、前記スイッチの押圧方向とは反対方向に向けて光を導く導光体と、を備え、
前記導光体は、
前記スイッチの前記反対方向側に設けられ、前記光源により発光された光を前記反対方向に向けて出射する出射部と、
前記出射部に接続され、前記第１光源により発光された第１光を前記出射部に導く第１導光脚部と、
前記出射部に接続され、前記第２光源により発光された第２光を前記出射部に導く第２導光脚部と、を有し、
前記出射部は、（ｉ）前記第１光および前記第２光が通過する領域に配置され、前記第１光を前記反対方向側に向けて反射し、前記第１光よりも前記第２光を反射しにくく構成され第１意匠と、（ｉｉ）前記領域に配置され、前記第２光を前記反対方向側に向けて反射し、前記第２光よりも前記第１光を反射しにくく構成される第２意匠と、を有し、
前記出射部は、
前記第１光が前記第１意匠に入射する第１方向の延長線上に配置され、かつ、前記第１方向に交差する第３段差面を有し、
前記第２光が前記第２意匠に入射する第２方向の延長線上に配置され、かつ、前記第２方向に交差する第４段差面を有し、
前記第３段差面は、前記第１方向側が外部に開放されている、または、黒色に着色されており、
前記第４段差面は、前記第２方向側が外部に開放されている、または、黒色に着色されている
入力装置。
【請求項８】
前記出射部は、
前記第１方向及び前記第２方向に交差する第５方向の異なる位置に配置された複数の前記第３段差面と、
前記第５方向の異なる位置に配置された複数の前記第４段差面と、を有し、
前記複数の第３段差面のそれぞれと、前記複数の第４段差面のそれぞれとは、前記第５方向に並んで交互に配置されている
請求項７に記載の入力装置。
【請求項９】
押圧されることによりオンオフが切替えられるスイッチと、
第１光源と、前記第１光源と異なる位置に配置される第２光源と、を有する光源と、
前記光源から発光された光を、前記スイッチの押圧方向とは反対方向に向けて光を導く導光体と、を備え、
前記導光体は、
前記スイッチの前記反対方向側に設けられ、前記光源により発光された光を前記反対方向に向けて出射する出射部と、
前記出射部に接続され、前記第１光源により発光された第１光を前記出射部に導く第１導光脚部と、
前記出射部に接続され、前記第２光源により発光された第２光を前記出射部に導く第２導光脚部と、を有し、
前記出射部は、（ｉ）前記第１光および前記第２光が通過する領域に配置され、前記第１光を前記反対方向側に向けて反射し、前記第１光よりも前記第２光を反射しにくく構成され第１意匠と、（ｉｉ）前記領域に配置され、前記第２光を前記反対方向側に向けて反射し、前記第２光よりも前記第１光を反射しにくく構成される第２意匠と、を有し、
前記スイッチと、前記第１光源と、前記第２光源とは、同一の配線基板に実装されている
入力装置。
【請求項１０】
前記第１意匠と前記第２意匠との少なくとも一部は、前記出射部の平面視において互いに重なるように形成されている
請求項１から９のいずれか１項に記載の入力装置。 
【発明の詳細な説明】
【技術分野】
【０００１】
本開示は、入力装置に関する。
【背景技術】
【０００２】
従来、光源が発した光を導光させることで、スイッチノブの表示操作部に表示意匠を表示させる照光表示入力装置が知られている（特許文献１参照）。
【先行技術文献】
【特許文献】
【０００３】
【特許文献１】特開２０１３−２５４５９７号公報
【発明の概要】
【０００４】
本開示の一態様に係る入力装置は、押圧されることによりオンオフが切替えられるスイッチと、第１光源と、前記第１光源と異なる位置に配置される第２光源と、を有する光源と、前記光源から発光された光を、前記スイッチの押圧方向とは反対方向に向けて光を導く導光体と、を備え、前記導光体は、前記スイッチの前記反対方向側に設けられ、前記光源により発光された光を前記反対方向に向けて出射する出射部と、前記出射部に接続され、前記第１光源により発光された第１光を前記出射部に導く第１導光脚部と、前記出射部に接続され、前記第２光源により発光された第２光を前記出射部に導く第２導光脚部と、を有し、前記出射部は、（ｉ）前記第１光および前記第２光が通過する領域に配置され、前記第１光を前記反対方向側に向けて反射し、前記第１光よりも前記第２光を反射しにくく構成される第１意匠と、（ｉｉ）前記領域に配置され、前記第２光を前記反対方向側に向けて反射し、前記第２光よりも前記第１光を反射しにくく構成される第２意匠と、を有し、前記第１光が前記第１意匠に入射する第１方向と、前記第２光が前記第２意匠に入射する第２方向とは、互いに交差しており、前記出射部は、前記第１導光脚部により導かれた前記第１光を前記第１意匠に向けて反射する第１反射部と、前記第２導光脚部により導かれた前記第２光を前記第２意匠に向けて反射する第２反射部とを有する。 
【０００５】
本開示の入力装置では、２つの意匠を選択的に表示させることができる。
【図面の簡単な説明】
【０００６】
【図１】図１は、実施の形態に係るステアリング入力装置が配置された車両の車室の一例を示す図である。
【図２】図２は、実施の形態に係るステアリング入力装置の使用例を示す図である。
【図３】図３は、実施の形態に係る入力装置の外観斜視図である。
【図４】図４は、実施の形態に係る入力装置の分解斜視図である。
【図５】図５は、図３のＶ−Ｖ断面図である。
【図６】図６は、図３のＶＩ−ＶＩ断面図である。
【図７】図７は、図３のＶＩＩ−ＶＩＩ断面図である。
【図８】図８は、図３のＶＩＩＩ−ＶＩＩＩ断面図である。
【図９】図９は、第１意匠が表示されているときの導光体をＹ軸方向プラス側から見た正面図である。
【図１０】図１０は、第１意匠が表示されているときの第１導光体と２つの光源との関係を示す斜視図である。
【図１１】図１１は、第２意匠が表示されているときの導光体をＹ軸方向プラス側から見た正面図である。
【図１２】図１２は、第２意匠が表示されているときの第１導光体と２つの光源との関係を示す斜視図である。
【図１３】図１３は、２つの光源から発光された光の、第１導光体の出射部における経路を説明するための図である。
【図１４】図１４は、Ｚ軸方向マイナス側から見た出射部のうちの第１意匠の一部を拡大した図である。
【図１５】図１５は、変形例に係る導光体と２つの光源との関係を示す図である。
【発明を実施するための形態】
【０００７】
本開示の実施の形態の説明に先立ち、従来の装置における問題点を簡単に説明する。スイッチの操作の対象となる部位の表面に、異なる形状を有する２つの意匠のうちの１つを選択的に表示させるニーズがあるが、特許文献１の技術では、２つの意匠のうちの１つを選択的に表示させることはできない。
【０００８】
そこで、本開示は、２つの意匠を選択的に表示させることができる入力装置を提供する。
【０００９】
本開示の一態様に係る入力装置は、押圧されることによりオンオフが切替えられるスイッチと、第１光源と、第１光源と異なる位置に配置される第２光源と、を有する光源と、光源から発光された光を、スイッチの押圧方向とは反対方向に向けて光を導く導光体と、を備えている。導光体は、スイッチの反対方向側に設けられ、光源により発光された光を反対方向に向けて出射する出射部と、出射部に接続され、第１光源により発光された第１光を出射部に導く第１導光脚部と、出射部に接続され、第２光源により発光された第２光を前記出射部に導く第２導光脚部と、を有している。出射部は、第１光を反対方向側に向けて反射することで発光する第１意匠と、第２光を反対方向側に向けて反射することで発光する第２意匠と、を有する。
【００１０】
これによれば、光を反射することで発光する第１意匠及び第２意匠について、それぞれ、対応する意匠に光を導く第１導光脚部及び第２導光脚部と、対応する導光脚部に光を発光する第１光源及び第２光源とを設けている。このため、第１光源及び第２光源のうちのいずれかを選択的に発光させることにより、２つの意匠である第１意匠及び第２意匠を選択的に表示させることができる。
【００１１】
また、第１光が第１意匠に入射する第１方向と、第２光が第２意匠に入射する第２方向とは、互いに交差していてもよい。
【００１２】
これによれば、第１方向と第２方向とは互いに交差しているため、第１光が第２意匠に反射されること、または、第２光が第１意匠に反射されることを低減することができる。つまり、対応していない光を反射することによって、表示させようとしていない別の意匠がわずかに表示されてしまうことを低減することができる。
【００１３】
また、出射部は、第１導光脚部により導かれた第１光を第１意匠に向けて反射する第１反射部と、第２導光脚部により導かれた第２光を第２意匠に向けて反射する第２反射部とを有してもよい。
【００１４】
これによれば、出射部に導かれた第１光及び第２光を、それぞれ、第１反射部及び第２反射部に反射させてから、第１意匠及び第２意匠に導くことができる。このため、一旦反射させる分だけ、各光源による各光の入射位置から各意匠までの出射部１３１の幅をコンパクトにすることが容易にできる。つまり、コンパクトな構成の出射部であっても、第１方向と第２方向とを交差させることができるため、対応していない光を反射することによって、表示させようとしていない別の意匠がわずかに表示されてしまうことを低減することができる。
【００１５】
また、第１反射部と第２反射部とは、同一面内に形成されていてもよい。
【００１６】
これによれば、第１反射部及び第２反射部を共用できるため、出射部の構成をコンパクトにできる。
【００１７】
また、出射部は、平板状の部位であり、第１導光脚部及び第２導光脚部は、出射部に対して所定の角度で曲がっている部分により接続されていてもよい。
【００１８】
このため、例えば、第１光源と第２光源とを同一の基板の一方の主面に実装している場合であっても、容易に第１光及び第２光を出射部に導くことができる。
【００１９】
また、第１意匠と第２意匠との少なくとも一部は、互いに重なるように形成されていてもよい。
【００２０】
このため、出射部の構成をコンパクトにすることができる。
【００２１】
また、第１導光脚部は、第１光が進行する第３方向に交差し、かつ、第３方向側が外部に開放されている第１段差面を有し、第２導光脚部は、第２光が進行する第４方向に交差し、かつ、第４方向側が外部に開放されている第２段差面を有してもよい。
【００２２】
このため、第１光源及び第２光源が発した光を、第１段差面及び第２段差面において、実質的に第１意匠及び第２意匠に反射される光に絞ることができる。このため、第１意匠及び第２意匠の表示には関係しない光が出射部に入射することを低減でき、第１意匠及び第２意匠の１つを選択的に表示しているときに、他の部位が光って表示されることを低減できる。
【００２３】
また、第１導光脚部は、第３方向の異なる位置に配置された複数の第１段差面を有し、第２導光脚部は、第４方向の異なる位置に配置された複数の第２段差面を有してもよい。
【００２４】
このため、第１光源及び第２光源からの光を、第１段差面及び第２段差面において、実質的に第１意匠及び第２意匠に反射される光に効果的に絞ることができる。
【００２５】
また、第１段差面及び第２段差面は、黒色に着色されていてもよい。
【００２６】
このため、第１段差面及び第２段差面で第１光又は第２光が反射されることを低減できる。よって、第１光源及び第２光源が発した光を、第１段差面及び第２段差面において、実質的に第１意匠及び第２意匠に反射される光に効果的に絞ることができる。
【００２７】
また、第１段差面の面積は、第１導光脚部の、第１段差面が形成されている部分における断面積よりも小さく、第２段差面の面積は、第２導光脚部の、第２段差面が形成されている部分における断面積よりも小さくてもよい。
【００２８】
このため、第１光源及び第２光源が発した光を、第１段差面及び第２段差面において、実質的に第１意匠及び第２意匠に反射される光に効果的に絞ることができる。
【００２９】
また、出射部は、第１光が第１意匠に入射する第１方向の延長線上に配置され、かつ、第１方向に交差し、かつ、第１方向側が外部に開放されている第３段差面と、第２光が第２意匠に入射する第２方向の延長線上に配置され、かつ、第２方向に交差し、かつ、第２方向側が外部に開放されている第４段差面と、を有してもよい。
【００３０】
このため、第１意匠に入射した光のうち、第１意匠に反射されなかった光が出射部の端部において第１方向とは異なる方向に反射されることを低減できる。同様に、第２意匠に入射した光のうち、第２意匠に反射されなかった光が出射部の端部において第２方向とは異なる方向に反射されることを低減できる。これにより、第１意匠及び第２意匠の表示には関係しない光が出射部内に留まることを低減でき、第１意匠及び第２意匠の１つを選択的に表示しているときに、他の部位が光って表示されることを低減できる。
【００３１】
また、出射部は、第１方向及び第２方向に交差する第５方向の異なる位置に配置された複数の第３段差面と、第５方向の異なる位置に配置された複数の第４段差面と、を有し、複数の第３段差面のそれぞれと、複数の第４段差面のそれぞれとは、第５方向に並んで交互に配置されていてもよい。
【００３２】
これによれば、複数の第３段差面と複数の第４段差面とを同じ第５方向に並んで配置するため、出射部のうちの限られた領域に複数の第３段差面と複数の第４段差面とを配置できる。このため、より効果的に、第１意匠及び第２意匠の表示には関係しない光が出射部内に留まることを低減でき、第１意匠及び第２意匠の１つを選択的に表示しているときに、他の部位が光って表示されることを低減できる。
【００３３】
また、第３段差面及び第４段差面は、黒色に着色されていてもよい。
【００３４】
このため、第３段差面及び第４段差面で第１光又は第２光が反射されることを低減できる。このため、より効果的に、第１意匠及び第２意匠の表示には関係しない光が出射部内に留まることを低減でき、第１意匠及び第２意匠の１つを選択的に表示しているときに、他の部位が光って表示されることを低減できる。
【００３５】
また、前記スイッチと、前記第１光源と、前記第２光源とは、同一の配線基板に実装されていてもよい。
【００３６】
このため、簡単な構成で、スイッチと、第１光源と、第２光源とを配置することができる。また、入力装置をコンパクトな構成とすることが容易にできる。
【００３７】
以下、本開示の一態様に係る入力装置について、図面を参照しながら具体的に説明する。
【００３８】
なお、以下で説明する実施の形態は、いずれも本開示の一具体例を示すものである。以下の実施の形態で示される数値、形状、材料、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００３９】
（実施の形態）
［１−１．ステアリング入力装置の構成］
まず、図１及び図２を参照しながら、実施の形態に係るステアリング入力装置２の構成について説明する。図１は、実施の形態に係るステアリング入力装置２が配置された車両の車室の一例を示す図である。図２は、実施の形態に係るステアリング入力装置２の使用例を示す図である。
【００４０】
図１に示す自動車４（車両の一例）の車室には、ステアリング入力装置２及び車載機器６が搭載されている。実施の形態に係るステアリング入力装置２は、ステアリングホイール８及び入力装置１００を備えている。
【００４１】
ステアリングホイール８は、自動車４を操舵するためのものである。ステアリングホイール８は、リング形状を有するリム１２と、リム１２の内周面に一体的に形成された略Ｔ字状のスポーク１４と、スポーク１４の中央部に配置されたホーンスイッチ（図示せず）を覆うホーンスイッチカバー１６とを有している。
【００４２】
入力装置１００は、車載機器６を操作するためのものであり、例えばステアリングホイール８のスポーク１４に配置されている。図２に示すように、ユーザである運転者は、リム１２を握っている右手の指１８（操作物体の一例）で入力装置１００に対して入力を行うことにより、車載機器６を操作することができる。入力装置１００の構成については後で詳述する。
【００４３】
車載機器６は、例えばコンパクトディスク等の光ディスクを再生するためのオーディオ機器である。車載機器６は、例えばダッシュボード２０内に配置されている。車載機器６の構成については後で詳述する。
【００４４】
［１−２．入力装置の構成］
次に、図３及び図４を参照しながら、実施の形態に係る入力装置１００の構成について説明する。図３は、実施の形態に係る入力装置１００の外観斜視図である。図４は、実施の形態に係る入力装置１００の分解斜視図である。図５は、図３のＶ−Ｖ断面図である。図６は、図３のＶＩ−ＶＩ断面図である。図７は、図３のＶＩＩ−ＶＩＩ断面図である。図８は、図３のＶＩＩＩ−ＶＩＩＩ断面図である。
【００４５】
図３〜図８に示すように、実施の形態に係る入力装置１００は、筐体１１１と、第１操作部１１２と、導光体１１３と、第１支持部１１４と、軸体１１５と、第２操作部１１６と、第２支持部１１７と、基板１１８とを備える。
【００４６】
筐体１１１は、入力装置１００の前面側（Ｚ軸方向プラス側）を覆う部材である。
【００４７】
第１操作部１１２は、運転者により操作されることにより、背面側（Ｚ軸方向マイナス側）に設けられる基板１１８に実装されている４つのスイッチ１５１のいずれかを選択的に押圧する部材である。第１操作部１１２は、第１支持部１１４、軸体１１５及び第２支持部１１７により２軸で揺動可能に支持されている。具体的には、第１操作部１１２は、Ｘ軸方向及びＹ軸方向に平行な方向を軸として揺動可能に支持されている。
【００４８】
例えば、第１操作部１１２のＸ軸方向プラス側の部位１２５が運転者によって押された場合に、当該部位１２５が軸体１１５のＹ軸方向に平行な第１軸を中心に揺動し、基板１１８の当該部位１２５に対応する位置に配置されているスイッチ１５１を押圧する。また、第１操作部１１２は、第１操作部１１２のＹ軸方向プラス側の部位１２６が運転者によって押された場合に、当該部位１２６が軸体１１５のＸ軸方向に平行な第２軸を中心に揺動し、基板１１８の当該部位１２６に対応する位置に配置されているスイッチ１５２を押圧する。なお、同様に、第１操作部１１２のＸ軸方向マイナス側の部位１２７が押された場合は、当該部位１２７に対応する位置に配置されているスイッチ１５３を押圧し、第１操作部１１２のＹ軸方向マイナス側の部位１２８が押圧された場合は、当該部位１２８に対応する位置に配置されているスイッチ１５４を押圧する。
【００４９】
導光体１１３は、基板１１８に実装されている光源１６１〜１６４から発光された光を、スイッチ１５１からスイッチ１５１の押圧方向とは反対方向に向けて光を導く。導光体１１３は、透明な材料により構成されており、例えば、アクリル樹脂や、ポリカーボネート樹脂等により構成される。導光体１１３の具体的な構成については後述する。
【００５０】
第１支持部１１４は、第１操作部１１２及び導光体１１３を支持する部材である。また、第１支持部１１４は、軸体１１５を第１軸で揺動可能に支持している。
【００５１】
第２支持部１１７は、第２操作部１１６を支持する部材である。また、第２支持部１１７は、軸体１１５を第２軸で揺動可能に支持している。
【００５２】
第１支持部１１４と第２支持部１１７とは互いに干渉しないように配置されている。このため、第１支持部１１４は、第２支持部１１７に対して軸体１１５を介することで、２軸に揺動することができる。よって、第１操作部１１２は、２軸に揺動することができる。
【００５３】
第２操作部１１６は、第２支持部１１７に対してＺ軸方向にスライド可能に支持されており、Ｚ軸方向マイナス側に押された場合、基板１１８の中央に配置されるスイッチ１５５を押圧する。
【００５４】
第１支持部１１４、軸体１１５、第２操作部１１６及び第２支持部１１７は、例えば、不透明な樹脂により構成されている。
【００５５】
基板１１８は、複数のスイッチ１５１〜１５５と、光源としての複数の光源１６１〜１６４とを有する配線基板である。複数のスイッチ１５１〜１５５及び複数の光源１６１〜１６４は、基板１１８の前面側（Ｚ軸方向プラス側）の主面に実装されている。このため、簡単な構成で、複数のスイッチ１５１〜１５５と、複数の光源１６１〜１６４とを配置することができる。
【００５６】
また、複数のスイッチ１５１〜１５５は、基板１１８の主面の互いに異なる位置に配置されている。同様に、複数の光源１６１〜１６４は、基板１１８の主面の互いに異なる位置に配置されている。
【００５７】
複数のスイッチ１５１〜１５５のそれぞれは、押圧されることによりオンオフを切り替えるスイッチである。具体的には、複数のスイッチ１５１〜１５５のそれぞれは、押圧されることにより、予め設定されている機能のオンオフを切り替えるスイッチである。
【００５８】
複数の光源１６１〜１６４のそれぞれは、例えば、ＬＥＤ（Ｌｉｇｈｔ  Ｅｍｉｔｔｉｎｇ  Ｄｉｏｄｅ）により構成されている。
【００５９】
なお、第１操作部１１２は、透光性を有する材料により構成されており、例えば、樹脂により構成されている。第１操作部１１２は、スモークに着色されていることが好ましい。これにより、基板１１８に実装されている光源１６１〜１６４が発光している場合には、導光体１１３に形成されている第１意匠１４１（図９、図１０参照）及び第２意匠１４２（図１１、図１２参照）が発光している光をＺ軸方向プラス側に出射させることができ、当該光源１６１〜１６４が発光していない場合には、内部の部品が運転者によって視認されるのを低減させることができる。
【００６０】
［１−３．導光体の構成］
次に、図９及び図１０を参照しながら、実施の形態に係る導光体１１３の構成について説明する。図９は、第１意匠１４１が表示されているときの導光体１１３をＺ軸方向プラス側から見た正面図である。図１０は、第１意匠１４１が表示されているときの第１導光体１２１と２つの光源１６１、１６２との関係を示す斜視図である。図１１は、第２意匠１４２が表示されているときの導光体１１３をＺ軸方向プラス側から見た正面図である。図１２は、第２意匠１４２が表示されているときの第１導光体１２１と２つの光源１６１、１６２との関係を示す斜視図である。
【００６１】
図９及び図１１に示すように、導光体１１３は、第１導光体１２１と、第２導光体１２２と、第３導光体１２３と、第４導光体１２４とを有する。第１導光体１２１はＸ軸方向プラス側に配置され、第２導光体１２２はＹ軸方向マイナス側に配置され、第３導光体１２３はＸ軸方向マイナス側に配置され、第４導光体はＹ軸方向プラス側に配置されている。
【００６２】
図９に示すように、各導光体１２１〜１２４には、第１意匠１４１が形成されている。第１意匠１４１は、各導光体１２１〜１２４が配置されている方向を指す鉤状の形状を有する。また、図１１に示すように、各導光体１２１〜１２４には、第２意匠１４２が形成されている。第２意匠１４２は、第１意匠１４１とは異なる形状を有する。第２意匠１４２は、例えば、曲送り、曲戻し、音量増加、又は音量減少を示す形状を有する。なお、第１意匠１４１及び第２意匠１４２は、互いに異なる形状であれば、どのような形状を有していてもよい。
【００６３】
次に、第１導光体１２１の形状について、図１０及び図１２を用いて説明する。なお、第２導光体１２２、第３導光体１２３及び第４導光体１２４は、第１意匠１４１及び第２意匠１４２の少なくとも一方が異なるだけであり、第１導光体１２１と同様の形状であるため、説明を省略する。
【００６４】
図１０及び図１２に示すように、第１導光体１２１は、出射部１３１と、第１導光脚部１３２と、第２導光脚部１３３とを有する。
【００６５】
出射部１３１は、スイッチ１５１の反対方向側（Ｚ軸方向プラス側）に設けられ、光源１６１又は光源１６２により発光された光をＺ軸方向プラス側に向けて出射する。出射部１３１は、平板状の部位であり、Ｘ−Ｙ平面に略平行に配置されている。出射部１３１は、第１意匠１４１と、第２意匠１４２とを有する。第１意匠１４１は、第１光源としての光源１６１により発光された第１光をＺ軸方向プラス側に向けて反射することで発光する。第２意匠１４２は、第２光源としての光源１６２により発光された第２光をＺ軸方向プラス側に向けて反射することで発光する。また、第１意匠１４１と第２意匠１４２との少なくとも一部は、後述する図１４に示すように、互いに重なるように形成されている。
【００６６】
また、出射部１３１は、第１反射部１３４ａと、第２反射部１３４ｂとを有している。第１反射部１３４ａは、第１導光脚部１３２によって導かれた第１光を第１意匠１４１に向けて反射する反射面である。第２反射部１３４ｂは、第２導光脚部１３３によって導かれた第２光を第２意匠１４２に向けて反射する反射面である。第１反射部１３４ａと第２反射部１３４ｂとは、同一の平面１３４内に形成されている。なお、平面１３４は、出射部１３１のＸ軸方向プラス側に面している、Ｙ−Ｚ平面に平行な端面である。このため、第１反射部１３４ａ及び第２反射部１３４ｂを同一の平面１３４で共用でき、容易に出射部１３１の構成をコンパクトにできる。
【００６７】
これによれば、出射部１３１に導かれた第１光及び第２光を、それぞれ、第１反射部１３４ａ及び第２反射部１３４ｂに反射させてから、第１意匠１４１及び第２意匠１４２に導くことができる。このため、一旦反射させる分だけ、各光源１６１、１６２による各光の入射位置から各意匠１４１、１４２までの出射部１３１の幅をコンパクトにすることが容易にできる。
【００６８】
第１導光脚部１３２は、出射部１３１に接続され、第１光源としての光源１６１により発光された第１光を出射部１３１に導く。第１導光脚部１３２は、具体的には、出射部１３１のＹ軸方向プラス側の端部から、所定の角度で曲がっている曲面部分１３２ａを介して、光源１６１に向かってＺ軸方向に略平行に延びている部位である。つまり、第１導光脚部１３２は、出射部１３１に対して曲面部分１３２ａにより接続されている。
【００６９】
第２導光脚部１３３は、出射部１３１に接続され、第２光源としての光源１６２により発光された第２光を出射部１３１に導く。第２導光脚部１３３は、具体的には、出射部１３１のＹ軸方向マイナス側の端部から、所定の角度で曲がっている曲面部分１３３ａを介して、光源１６２に向かってＺ軸方向に略平行に延びている部位である。つまり、第２導光脚部１３３は、出射部１３１に対して曲面部分１３３ａにより接続されている。
【００７０】
ここで、上述したように、各導光体１２１〜１２４は、４つの光源１６１〜１６４のうちの２つの光源にまたがって配置されている。つまり、各導光体１２１〜１２４は、４つの光源１６１〜１６４のうちの第１光源及び第２光源による光を選択的に点灯させることにより、第１光源の第１光によって第１意匠１４１を表示させたり、第２光源の第２光によって第２意匠１４２を表示させたりすることができる。
【００７１】
本実施の形態では、入力装置１００は、複数の動作モードで動作する。例えば、入力装置１００は、第１動作モードとしてのメニュー選択モードと、第２動作モードとしての音楽プレイヤーモードとの２種類の動作モードで動作する。入力装置１００は、所定の切り替え手段によって切り替えられた動作モードに応じて、複数のスイッチ１５１〜１５５のそれぞれに予め設定されている機能が切り替えられる。所定の切り替え手段は、他のスイッチのオンオフや、音声認識、ジェスチャ認識など様々な切り替え手段が考えられる。
【００７２】
また、入力装置１００では、動作モードに応じて、割り当てられる複数のスイッチへの機能と、光源の各組が発光する機能とが対応している。例えば、第１動作モードにおいては、複数のスイッチ１５１〜１５５は、メニューを選択するために選択されている項目を移動させるための十字キーと、選択されている項目を設定させるための決定キーとして機能する。また、第２動作モードにおいては、複数のスイッチ１５１〜１５５は、音楽プレイヤーの曲送り、曲戻し、音量増加、音量減少、再生／停止などのキーとして機能する。
【００７３】
そこで、本実施の形態では、動作モードに応じて、第１光源及び第２光源のうちの１つを選択的に点灯させることで、第１動作モードでは、第１意匠１４１が表示されるようにし、第２動作モードでは、第２意匠１４２が表示されるようにしている。
【００７４】
具体的には、複数の光源１６１〜１６４は、複数の光源１６１〜１６４のうちの対角に配置される２つの光源の組において、一方の組の光源１６１、１６３が点灯している状態のときは、他方の組の光源１６２、１６４が消灯している状態となり、他方の組の光源１６２、１６４が点灯しているときは、一方の組の光源１６１、１６３が消灯している状態となる。つまり、動作モードが第１動作モードであるか第２動作モードであるかに応じて、一方の組の光源１６１、１６３が点灯しており、かつ、他方の組の光源１６２、１６４が消灯している第１状態と、他方の組の光源１６２、１６４が点灯しており、かつ、一方の組の光源１６１、１６３が消灯している第２状態とのいずれかに選択的に遷移する。本実施の形態では、複数のスイッチ１５１〜１５５の動作モードが第１動作モードである場合に、複数の光源１６１〜１６４は、第１意匠１４１を表示させる第１状態となる。複数のスイッチ１５１〜１５５の動作モードが第２動作モードである場合に、複数の光源１６１〜１６４は、第２意匠１４２を表示させる第２状態となる。
【００７５】
なお、外部のスイッチなどにより、複数のスイッチ１５１〜１５５がオフの状態となっていれば複数の光源１６１〜１６４の全てが消灯している状態となっていてもよい。
【００７６】
以上のように、光源１６１からの第１光は、第１導光脚部１３２をＺ軸方向プラス側（第３方向Ｄ３）に進行し、曲面部分１３２ａにおいて反射されながら出射部１３１に平行な方向に曲げられて、出射部１３１に入射する。また、光源１６２からの第２光は、第２導光脚部１３３をＺ軸方向プラス側（第４方向Ｄ４）に進行し、曲面部分１３３ａにおいて反射されながら出射部１３１に平行な方向に曲げられて、出射部１３１に入射する。このように第１光又は第２光が出射部１３１に入射するまでに、本実施の形態では、第１導光脚部１３２及び第２導光脚部１３３には、第１意匠１４１及び第２意匠１４２を表示することに寄与しない迷光を抑制するために以下に説明する構成を有していることが好ましい。
【００７７】
具体的には、図１０及び図１２に示すように、第１導光脚部１３２は、第１光が進行する第３方向Ｄ３に交差し、かつ、第３方向Ｄ３側が外部に開放されている第１段差面１３５、１３６を有している。同様に、第２導光脚部１３３は、第２光が進行する第４方向Ｄ４に交差し、かつ、第４方向Ｄ４側が外部に開放されている第２段差面１３７、１３８を有している。つまり、第１段差面１３５、１３６及び第２段差面１３７、１３８は、Ｚ軸方向プラス側に面している。
【００７８】
このため、第１光源としての光源１６１及び第２光源としての光源１６２が発した光を、第１段差面１３５、１３６及び第２段差面１３７、１３８において、実質的に第１意匠１４１及び第２意匠１４２に反射される光に絞ることができる。このため、第１意匠１４１及び第２意匠１４２の表示には関係しない光が出射部１３１に入射することを低減でき、第１意匠１４１及び第２意匠１４２の１つを選択的に表示しているときに、他の部位が光って表示されることを低減できる。
【００７９】
また、第１段差面１３５、１３６のそれぞれは、第３方向Ｄ３に第１光が進行している経路を挟んで両側に形成されている。第１段差面１３５と第１段差面１３６とは、第３方向Ｄ３の異なる位置に配置されている。同様に、第２段差面１３７、１３８のそれぞれは、第４方向Ｄ４に第２光が進行している経路を挟んで両側に形成されている。第２段差面１３７と第２段差面１３８とは、第４方向Ｄ４の異なる位置に配置されている。このため、光源１６１、１６２からの光を、第１段差面１３５、１３６及び第２段差面１３７、１３８において、実質的に第１意匠１４１及び第２意匠１４２に反射される光に効果的に絞ることができる。
【００８０】
また、第１段差面１３５、１３６及び第２段差面１３７、１３８は、黒色に着色されていることが好ましい。このため、第１段差面１３５、１３６及び第２段差面１３７、１３８で第１光又は第２光が反射されることを低減できる。よって、光源１６１、１６２が発した光を、第１段差面１３５、１３６及び第２段差面１３７、１３８において、実質的に第１意匠１４１及び第２意匠１４２に反射される光に効果的に絞ることができる。
【００８１】
また、第１段差面１３５の面積は、第１導光脚部１３２の、第１段差面１３５が形成されている部分における断面積よりも小さいことが好ましい。また、同様に、第１段差面１３６の面積は、第１導光脚部１３２の、第１段差面１３６が形成されている部分における断面積よりも小さいことが好ましい。また、同様に、第２段差面１３７の面積は、第２導光脚部１３３の、第２段差面１３７が形成されている部分における断面積よりも小さいことが好ましい。また、同様に、第２段差面１３８の面積は、第２導光脚部１３３の、第２段差面１３８が形成されている部分における断面積よりも小さいことが好ましい。
【００８２】
なお、第１段差面１３５の面積とは、第１段差面が複数の領域を有する場合は、当該複数の領域の面積の総和である。また、第１導光脚部１３２の、第１段差面１３５が形成されている部分における断面積とは、Ｚ軸方向における第１段差面１３５が形成されている位置における、Ｚ軸方向に直交する平面で第１導光脚部１３２を切断したときの断面の面積である。上記のことは、第１段差面１３６及び第２段差面１３７、１３８のそれぞれについても同様に言える。
【００８３】
次に、第１導光脚部１３２及び第２導光脚部１３３によって出射部１３１に導かれた第１光及び第２光は、出射部１３１において、それぞれ第１意匠１４１及び第２意匠１４２に向かって進行する。このとき出射部１３１に入射した第１光及び第２光は、第１導光脚部１３２及び第２導光脚部１３３において迷光を抑制するための工夫がされていても、出射部１３１において第１意匠１４１及び第２意匠１４２を表示することに寄与しない迷光が発生する可能性がある。このため、出射部１３１において迷光が発生することを抑制するために以下に説明する構成を有していることが好ましい。上記構成について、図１３及び図１４を用いて説明する。
【００８４】
図１３は、２つの光源１６１、１６２から発光された光の、第１導光体１２１の出射部１３１における経路を説明するための図である。図１４は、Ｚ軸方向マイナス側から見た出射部１３１のうちの第１意匠１４１の一部を拡大した図である。
【００８５】
図１３に示すように、第１導光脚部１３２によって出射部１３１に導かれた第１光が第１意匠１４１に入射する第１方向Ｄ１と、第２導光脚部１３３によって出射部１３１に導かれた第２光が第２意匠１４２に入射する第２方向Ｄ２とは、互いに交差している。具体的には、第１方向Ｄ１と第２方向Ｄ２とは、略直交している。
【００８６】
また、図１４に示すように、第１意匠１４１は、第１方向Ｄ１に交差する第２方向Ｄ２に略平行な複数の傾斜面１４１ａにより構成されている。また、図示しないが、第２意匠１４２は、第１方向Ｄ１に略平行な複数の傾斜面により構成されている。これにより、第１意匠１４１は、第１方向Ｄ１に進む第１光を反射して、第２方向Ｄ２に進む第２光を反射しにくい構成である。また、第２意匠１４２は、第２方向Ｄ２に進む第２光を反射して、第１方向Ｄ１に進む第１光を反射しにくい構成である。
【００８７】
このように、第１方向Ｄ１と第２方向Ｄ２とは互いに交差しているため、第１光が第２意匠１４２に反射されること、または、第２光が第１意匠１４１に反射されることを低減することができる。つまり、第１意匠１４１又は第２意匠１４２が対応していない光を反射することによって、表示させようとしていない方の意匠がわずかに表示されてしまうことを低減することができる。
【００８８】
また、出射部１３１は、第３段差面１３９と、第４段差面１４０とを有する。第３段差面１３９は、第１光が第１意匠１４１に入射する第１方向Ｄ１の延長線上に配置され、かつ、第１方向Ｄ１に交差し、かつ、第１方向Ｄ１側が外部に開放されている面である。第４段差面１４０は、第２光が第２意匠１４２に入射する第２方向Ｄ２の延長線上に配置され、かつ、第２方向Ｄ２に交差し、かつ、第２方向Ｄ２側が外部に開放されている面である。
【００８９】
このため、第１意匠１４１に入射した光のうち、第１意匠１４１に反射されなかった光が出射部１３１のＸ軸方向マイナス側の端部において第１方向Ｄ１とは異なる方向に反射されることを低減できる。同様に、第２意匠１４２に入射した光のうち、第２意匠１４２に反射されなかった光が出射部１３１のＸ軸方向マイナス側の端部において第２方向Ｄ２とは異なる方向に反射されることを低減できる。これにより、第１意匠１４１及び第２意匠１４２の表示には関係しない光が出射部１３１内に留まることを低減でき、第１意匠１４１及び第２意匠１４２の１つを選択的に表示しているときに、出射部１３１の他の部位が光って表示されることを低減できる。
【００９０】
また、図１２に示すように、第３段差面１３９は、複数形成されており、複数の第３段差面１３９は、第１方向Ｄ１及び第２方向Ｄ２に交差する第５方向Ｄ５（図１２の場合はＹ軸方向）の異なる位置に配置されている。同様に、第４段差面１４０は、複数形成されており、複数の第４段差面１４０は、図１２の場合、Ｙ軸方向の異なる位置に配置されている。そして、複数の第３段差面１３９のそれぞれと、複数の第４段差面１４０のそれぞれとは、Ｙ軸方向に並んで交互に配置されている。
【００９１】
このように、複数の第３段差面１３９のそれぞれと複数の第４段差面１４０それぞれとを同じＹ軸方向に交互に並んで配置するため、出射部１３１のうちの限られた領域に複数の第３段差面１３９と複数の第４段差面１４０とを配置できる。このため、より効果的に、第１意匠１４１及び第２意匠１４２の表示には関係しない光が出射部１３１内に留まることを低減でき、第１意匠１４１及び第２意匠１４２の１つを選択的に表示しているときに、他の部位が光って表示されることを低減できる。
【００９２】
なお、図１２に示す第１導光体１２１においては、上記したように複数の第３段差面１３９のそれぞれと、複数の第４段差面１４０のそれぞれとは、Ｙ軸方向に並んで交互に配置されているが、これは第３導光体１２３においても、同様にＹ軸方向に並んで交互に配置される。一方、第２導光体１２２と第４導光体１２４においては、図１１に示すように、複数の第３段差面１３９のそれぞれと、複数の第４段差面１４０のそれぞれとは、Ｘ軸方向に並んで交互に配置される。
【００９３】
また、第３段差面１３９及び第４段差面１４０は、黒色に着色されていることが好ましい。このため、第３段差面１３９及び第４段差面１４０で第１光又は第２光が反射されることを低減できる。このため、より効果的に、第１意匠１４１及び第２意匠１４２の表示には関係しない光が出射部１３１内に留まることを低減でき、第１意匠１４１及び第２意匠１４２の１つを選択的に表示しているときに、他の部位が光って表示されることを低減できる。
【００９４】
［１−４．効果］
本実施の形態に係る入力装置１００によれば、光を反射することで発光する第１意匠１４１及び第２意匠１４２について、それぞれ、対応する意匠に光を導く第１導光脚部１３２及び第２導光脚部１３３と、対応する導光脚部に光を発光する光源１６１及び光源１６２とを設けている。このため、光源１６１及び光源１６２のうちのいずれかを選択的に発光させることにより、２つの意匠である第１意匠１４１及び第２意匠１４２を選択的に表示させることができる。
【００９５】
（変形例）
上記実施の形態では、第１導光脚部１３２及び第２導光脚部１３３によって、それぞれ、出射部１３１に導かれた第１光及び第２光を第１意匠及び第２意匠に向けて反射する第１反射部１３４ａ及び第２反射部１３４ｂが出射部１３１に形成されているとしたが、第１反射部１３４ａ及び第２反射部１３４ｂは出射部１３１に形成されていなくてもよい。例えば、図１５に示すように、第１導光脚部２３２及び第２導光脚部２３３によって、それぞれ、出射部２３１に導かれた第１光及び第２光を反射させずに第１意匠及び第２意匠に導いている構成の導光体２２１としてもよい。なお、図１５に示すように、出射部２３１に導かれた第１光の進行方向である第１方向Ｄ１１と、第２光の進行方向である第２方向Ｄ１２との角度が１２０度のように９０度よりも大きい角度で交差していてもよい。図１５は、変形例に係る導光体２２１と２つの光源１６１、１６２との関係を示す図である。
【００９６】
上記実施の形態では、第１導光脚部１３２の第３方向の異なる位置に２つの第１段差面１３５、１３６が形成されているとしたが、これに限らずに、１つの第１段差面が形成されている構成としてもよいし、３つ以上の第１段差面が形成されている構成としてもよい。
【００９７】
上記実施の形態では、第１段差面１３５、１３６のそれぞれは、第３方向Ｄ３に第１光が進行している経路を挟んで両側に形成されているとしたが、第３方向Ｄ３に第１光が進行している経路の片側に形成されていてもよいし、当該経路を囲うように形成されていてもよい。これは、第２段差面１３７、１３８についても同様である。
【００９８】
上記実施の形態では、第３方向Ｄ３及び第４方向Ｄ４は、Ｚ軸方向に略平行な方向であり略等しい方向であるが、互いに異なる方向であってもよい。つまり、第１導光脚部１３２と第２導光脚部１３３とは、Ｚ軸方向に略平行な方向に延びているとしたが、互いに交差する方向に延びている構成としてもよい。
【００９９】
以上、本開示の一つまたは複数の態様に係る入力装置について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の一つまたは複数の態様の範囲内に含まれてもよい。
【産業上の利用可能性】
【０１００】
本開示は、２つの意匠を選択的に表示させることができる入力装置などとして有用である。
【符号の説明】
【０１０１】
２  ステアリング入力装置
４  自動車
６  車載機器
８  ステアリングホイール
１２  リム
１４  スポーク
１６  ホーンスイッチカバー
１８  指
２０  ダッシュボード
１００  入力装置
１１１  筐体
１１２  第１操作部
１１３，２２１  導光体
１１４  第１支持部
１１５  軸体
１１６  第２操作部
１１７  第２支持部
１１８  基板
１２１  第１導光体
１２２  第２導光体
１２３  第３導光体
１２４  第４導光体
１３１，２３１  出射部
１３２，２３２  第１導光脚部
１３２ａ  曲面部分
１３３，２３３  第２導光脚部
１３３ａ  曲面部分
１３４  平面
１３４ａ  第１反射部
１３４ｂ  第２反射部
１３５，１３６  第１段差面
１３７，１３８  第２段差面
１３９  第３段差面
１４０  第４段差面
１４１  第１意匠
１４１ａ  傾斜面
１４２  第２意匠
１５１〜１５５  スイッチ
１６１〜１６４  光源
Ｄ１，Ｄ１１  第１方向
Ｄ２，Ｄ１２  第２方向
Ｄ３  第３方向
Ｄ４  第４方向
Ｄ５  第５方向
【図１】
0006646832.tif 000002
【図２】
0006646832.tif 000003
【図３】
0006646832.tif 000004
【図４】
0006646832.tif 000005
【図５】
0006646832.tif 000006
【図６】
0006646832.tif 000007
【図７】
0006646832.tif 000008
【図８】
0006646832.tif 000009
【図９】
0006646832.tif 000010
【図１０】
0006646832.tif 000011
【図１１】
0006646832.tif 000012
【図１２】
0006646832.tif 000013
【図１３】
0006646832.tif 000014
【図１４】
0006646832.tif 000015
【図１５】
0006646832.tif 000016